(57)【要約】【課題】広域印刷システムに用いられる画像形成装置の製造コストを下げ、その操作パネル部の構成を簡易化して操作性を向上させることができるようにする。【解決手段】インターネット上のサーバから印刷データを受信して、受信した印刷データを画像形成装置に送出するデータ管理装置４２であって、データ送受信部４２１３がドキュメントサーバ３から印刷データを受信してプリンタ４１に送出し、この印刷データ送出後に、プリンタ４１から当該印刷データの印刷についての課金データを受信し、この課金データに基づいて印刷料金算出部４２２３が印刷料金を算出して、印刷料金徴収部４２２４が印刷料金を装置操作者から徴収するようにする。【選択図】        図８
2004252679.tif 000002
【特許請求の範囲】
【請求項１】
インターネット上のサーバから印刷データを受信して、受信した印刷データを画像形成装置に送出するデータ管理装置であって、
前記サーバから印刷データを受信する印刷データ受信手段と、
前記印刷データ受信手段によって受信された印刷データを画像形成装置に送出する印刷データ送出手段と、
前記印刷データ送出手段から印刷データを送出した後、この印刷データを受け取った画像形成装置から、当該印刷データの印刷についての課金データを受け取る課金データ受信手段と、
前記課金データ受信手段によって受け取られた課金データに基づいて印刷料金を算出する印刷料金算出手段と、
前記印刷料金算出手段によって算出された印刷料金の装置操作者からの徴収を受けて、前記画像形成装置に印刷を許可する印刷料金徴収手段とを備えたことを特徴とするデータ管理装置。
【請求項２】
印刷データを特定するための文書ＩＤの入力を装置操作者から受け付ける文書ＩＤ受付手段と、
前記文書ＩＤ受付手段によって受け付けられた文書ＩＤを前記サーバに送信するＩＤ送信手段とを備え、
前記印刷データ受信手段は、前記ＩＤ送信手段から前記サーバに送信した文書ＩＤに適合する印刷データを、前記サーバから受信することを特徴とする請求項１に記載のデータ管理装置。
【請求項３】
前記ＩＤ送信手段は、前記文書ＩＤと共に、当該データ管理装置が設置されている店舗を示す情報を前記サーバに送信し、
前記印刷データ受信手段は、前記ＩＤ送信手段から前記サーバに送信した文書ＩＤ及び店舗情報に適合する印刷データを前記サーバから受信することを特徴とする請求項１又は請求項２に記載のデータ管理装置。
【請求項４】
印刷料金の投入及び釣銭返却指示の入力を受け付ける装置本体部と、この装置本体部とは別体とされ、前記サーバとのデータ送受信及び前記サーバから受信した印刷データの印刷に必要な指示が装置操作者によって入力される操作部とからなり、
前記操作部は、前記装置本体部の上面に回動可能に取り付けられていることを特徴とする請求項１乃至請求項３のいずれかに記載のデータ管理装置。
【請求項５】
前記装置本体部の上面は、手前側が低く形成された傾斜面とされ、この上面部に突設されている少なくとも印刷料金投入部及び釣銭返却指示ボタンの上面が、装置本体部の設置面に略平行な角度とされていることを特徴とする請求項４に記載のデータ管理装置。
【請求項６】
請求項１乃至請求項５のいずれかに記載のデータ管理装置と、
前記データ管理装置の印刷データ送出手段からの印刷データに基づいて印刷ジョブ信号を発生させる印刷制御手段と、この印刷制御手段によって発生された印刷ジョブ信号に従って、前記データ管理装置の印刷データ送出手段から受信した印刷データを印刷する印刷手段と、この印刷手段による印刷についての課金データを作成する課金データ作成手段と、この課金データ作成手段によって作成された課金データを、前記データ管理装置の課金データ受信手段に送出する課金データ送出手段とを有し、前記データ管理装置とは別体とされた画像形成装置とからなることを特徴とする広域印刷装置。
【発明の詳細な説明】
【０００１】
【発明の属する技術分野】
本発明は、インターネット等のネットワーク上のサーバから印刷データを受信して、受信した印刷データを画像形成装置に送出するデータ管理装置及びこれを備えた広域印刷装置に関する。
【０００２】
【従来の技術】
従来、インターネット等のネットワーク上のサーバに蓄積されている印刷データを、遠隔地に設置されている画像形成装置からインターネットを介して呼び出して印刷できるようにした広域印刷システムが知られている。この広域印刷システムに用いられる画像形成装置は、インターネット上のサーバから印刷データを受信する機能と、受信した印刷データを印刷する機能と、この印刷データの印刷料金を算出して装置操作者（印刷データ受領者であるユーザ）から徴収する機能とを有している（例えば、特許文献１参照）。
【０００３】
【特許文献１】
特開２００２−３２２０５号公報
【０００４】
【発明が解決しようとする課題】
しかし、上記広域印刷システムに用いられる画像形成装置は、一般的な機能を有する汎用の画像形成装置と比較すると、インターネット上のサーバから印刷データを受信する機能と、この印刷データ受信に必要な操作の入力を装置操作者から受け付ける機能と、印刷データの印刷料金を算出して装置操作者から印刷料金を徴収する機能とが追加されることになるため、画像形成装置の構成が複雑化すると共に、その製造コストが高くなるという問題がある。例えば、画像形成装置の操作パネル部には、印刷実行指示ボタン等に加えて、印刷データを呼び出すサーバを特定するための操作部等も必要となるため、操作パネル部が複雑になって、ユーザが操作し難い場合がある。
【０００５】
本発明は、上述した問題点を解決するためになされたものであり、広域印刷システムに用いられる画像形成装置の製造コストを下げ、その操作パネル部の構成を簡易化して操作性を向上させることができるデータ管理装置及び広域印刷装置を提供することを目的とする。
【０００６】
【課題を解決するための手段】
上記目的を達成するために請求項１に記載の発明は、インターネット上のサーバから印刷データを受信して、受信した印刷データを画像形成装置に送出するデータ管理装置であって、
前記サーバから印刷データを受信する印刷データ受信手段と、
前記印刷データ受信手段によって受信された印刷データを画像形成装置に送出する印刷データ送出手段と、
前記印刷データ送出手段から印刷データを送出した後、この印刷データを受け取った画像形成装置から、当該印刷データの印刷についての課金データを受け取る課金データ受信手段と、
前記課金データ受信手段によって受け取られた課金データに基づいて印刷料金を算出する印刷料金算出手段と、
前記印刷料金算出手段によって算出された印刷料金の装置操作者からの徴収を受けて、前記画像形成装置に印刷を許可する印刷料金徴収手段とを備えたものである。
【０００７】
この構成によれば、印刷データ受信手段がサーバから印刷データを受信して画像形成装置に送出し、印刷料金データ受信手段が画像形成装置から受け取った課金データに基づいて、印刷料金算出手段が印刷料金を算出し、この印刷料金の装置操作者からの徴収を受けて、印刷料金徴収手段が画像形成装置に印刷を許可するので、ネットワーク上のサーバと画像形成装置との間に介在して、ネットワーク上のサーバから印刷データを受信して画像形成装置に印刷させることができる。
【０００８】
そのため、インターネットを介したデータ送受信機能等の機能や、印刷料金を算出して徴収する機能を有しない画像形成装置であっても、広域印刷システムに適用することが可能になる。これにより、外部接続された記憶装置等からの印刷データを印刷できる機能を有する程度の汎用の画像形成装置であっても、広域印刷システムに適用できるようになるので、広域印刷システムに用いる画像形成装置の構成を複雑化する必要が無くなり製造コストを低減できる。さらに、この画像形成装置の操作パネル部に多くの操作ボタンを設ける必要がないので、広域印刷時における画像形成装置の操作性を向上させることができる。
【０００９】
また、請求項２に記載の発明は、請求項１に記載のデータ管理装置であって、印刷データを特定するための文書ＩＤの入力を装置操作者から受け付ける文書ＩＤ受付手段と、
前記文書ＩＤ受付手段によって受け付けられた文書ＩＤを前記サーバに送信するＩＤ送信手段とを備え、
前記印刷データ受信手段は、前記ＩＤ送信手段から前記サーバに送信した文書ＩＤに適合する印刷データを、前記サーバから受信するものである。
【００１０】
この構成によれば、文書ＩＤ受付手段が装置操作者から文書ＩＤの入力を受け付け、ＩＤ送信手段が文書ＩＤをサーバに送信し、この文書ＩＤに適合する印刷データを印刷データ受信手段が受信する。これにより、広域印刷システムに用いる画像形成装置の構成を複雑化することなく、サーバから送信させる印刷データを特定するための文書ＩＤを、サーバに対して送信することができる。
【００１１】
また、請求項３に記載の発明は、請求項１又は請求項２に記載のデータ管理装置であって、前記ＩＤ送信手段は、前記文書ＩＤと共に、当該データ管理装置が設置されている店舗を示す情報を前記サーバに送信し、
前記印刷データ受信手段は、前記ＩＤ送信手段から前記サーバに送信した文書ＩＤ及び店舗情報に適合する印刷データを前記サーバから受信するものである。
【００１２】
この構成によれば、サーバに送信した文書ＩＤ及び店舗情報に適合する印刷データを、印刷データ受信手段がサーバから受信するので、上記文書ＩＤが示す印刷データを特定の店舗でのみ印刷可能にすることができる。これにより、広域印刷システムに用いる画像形成装置の構成を複雑化することなく、文書ＩＤが示す印刷データの印刷を希望するユーザに、特定の店舗まで出向く動機を持たせることが可能になる。
【００１３】
また、請求項４に記載の発明は、請求項１乃至請求項３のいずれかに記載のデータ管理装置であって、印刷料金の投入及び釣銭返却指示の入力を受け付ける装置本体部と、この装置本体部とは別体とされ、前記サーバとのデータ送受信及び前記サーバから受信した印刷データの印刷に必要な指示が装置操作者によって入力される操作部とからなり、
前記操作部は、前記装置本体部の上面に回動可能に取り付けられているものである。
【００１４】
この構成によれば、操作部が装置本体部の上面に回動可能に設けられているので、操作部を装置操作者が視認しやすい角度に回動させることができ、操作部の操作性及び視認性が更に向上する。
【００１５】
また、請求項５に記載の発明は、請求項４に記載のデータ管理装置であって、前記装置本体部の上面は、手前側が低く形成された傾斜面とされ、この上面部に突設されている少なくとも印刷料金投入部及び釣銭返却指示ボタンの上面が、装置本体部の設置面に略平行な角度とされているものである。
【００１６】
この構成によれば、装置本体部の上面が、当該データ管理装置の前に立つ装置操作者が視認し易い角度（装置操作者の眼の方向に向けた角度等）となり、印刷料金投入部及び釣銭返却指示ボタンの上面が、装置操作者がボタン押下や料金投入部をし易い角度となるので、装置操作者の操作性及び視認性が向上する。
【００１７】
また、請求項６に記載の発明は、請求項１乃至請求項５のいずれかに記載のデータ管理装置と、
前記データ管理装置の印刷データ送出手段からの印刷データに基づいて印刷ジョブ信号を発生させる印刷制御手段と、この印刷制御手段によって発生された印刷ジョブ信号に従って、前記データ管理装置の印刷データ送出手段から受信した印刷データを印刷する印刷手段と、この印刷手段による印刷についての課金データを作成する課金データ作成手段と、この課金データ作成手段によって作成された課金データを、前記データ管理装置の課金データ受信手段に送出する課金データ送出手段とを有し、前記データ管理装置とは別体とされた画像形成装置と
からなることを特徴とする広域印刷装置である。
【００１８】
この構成によれば、印刷データの受信及び印刷料金の徴収を行うデータ管理装置が画像形成装置とは別体とされているので、データ送受信機能や印刷料金徴収機能等を有しない汎用の画像形成装置を広域印刷システムに適用することができる。これにより、外部接続された記憶装置等からの印刷データを印刷できる機能を有する汎用の画像形成装置であれば、広域印刷システムに適用することができるようになるので、広域印刷システムに用いる画像形成装置の構成を複雑化する必要が無くなり製造コストを低減できる。さらに、この画像形成装置の操作パネル部に多くの操作ボタンを設ける必要がないので、広域印刷時における画像形成装置の操作性を向上させることができる。
【００１９】
【発明の実施の形態】
以下、本発明の一実施形態に係るデータ管理装置及び広域印刷装置について図面を参照して説明する。図１は本発明に係るデータ管理装置及び広域印刷装置を備えた広域印刷システムの全体構成図である。広域印刷システム１は、インターネットに接続されたコンテンツサーバ２に蓄積された印刷データを、インターネットを介して一旦ドキュメントサーバ３が受信し、遠隔地のコンビニエンスストア４、プリントステーション５、ホテル６等に設置された広域印刷装置４０，５０，６０に対して、ドキュメントサーバ３がインターネットを介して印刷データ（印刷対象情報）を送信して印刷させるものである。これらコンビニエンスストア４、プリントステーション５、及びホテル６等はインターネット網により接続されている。
【００２０】
コンテンツサーバ２は、各種情報が蓄積されたデータベースを有するサーバであり、例えば、製造物の販売業者等が広告宣伝のために用いる印刷対象情報（以下、印刷データという）を配信するものである。コンテンツサーバ２は、例えば、ユーザに提供する各印刷データに、印刷データ固有番号（ある印刷データがコンテンツサーバ２に登録された時点で、この印刷データを特定するために付与される番号）に店舗情報（後述）を付加したコンテンツＩＤ（ｉｄｅｎｔｉｆｉｃａｔｉｏｎ）を付与し、各ユーザ（印刷データ受領者）に対してはユーザＩＤを付与する。このユーザＩＤとは、あるユーザが印刷データのプリントアウトを目的としてコンテンツサーバ２に登録された時点で、各ユーザに付与されるユーザ固有の識別番号である。これらのＩＤのドキュメントサーバ３との送信については後述する。
【００２１】
コンテンツサーバ２は、各ユーザの携帯電話７，ＰＣ（ノート型パーソナルコンピュータ等）９，ＰＤＡ（ｐｅｒｓｏｎａｌ  ｄｉｇｉｔａｌ  ａｓｓｉｓｔａｎｔｓ）１０等の通信端末機器に対して、電子メール等により、印刷データを配信する旨のメッセージを送信する。
【００２２】
ドキュメントサーバ３は、コンテンツサーバ２から受信したコンテンツＩＤ及びユーザＩＤから文書ＩＤを作成し、コンテンツサーバ２から受信した各印刷データに文書ＩＤを関連付けて保存しておく。この文書ＩＤは、ドキュメントサーバ３からユーザの携帯電話７，ノートＰＣ（ノート型パーソナルコンピュータ）９，ＰＤＡ１０等の通信端末機器に送信され、印刷データはインターネットを介してコンビニエンスストア４、プリントステーション５、ホテル６等に設置された広域印刷装置４０，５０，６０に送信される。
【００２３】
コンビニエンスストア４、プリントステーション５、ホテル６等に設置された広域印刷装置４０，５０，６０は、それぞれデータ管理装置及びこれに接続されたプリンタからなる。このデータ管理装置４２，５２，６２はインターネット接続されており、ドキュメントサーバ３とプリンタ４１，５１，６１との間に介在して、ドキュメントサーバ３から受信した印刷データをプリンタ４１，５１，６１に送出するようになっている。さらに、データ管理装置４２，５２，６２は、ユーザからの文書ＩＤの入力を受け付けてドキュメントサーバ３に送信する機能、及びプリンタ４１，５１，６１から受け取る課金データに基づいてユーザから印刷料金を徴収する機能を有している。
【００２４】
また、ユーザが文書ＩＤをデータ管理装置４２，５２，６２のいずれかに入力し、いずれかのデータ管理装置４２，５２，６２からドキュメントサーバ３に文書ＩＤが送信された場合、ドキュメントサーバ３は、この文書ＩＤの認証後、当該文書ＩＤを送信してきたデータ管理装置４２，５２，６２に対して当該文書ＩＤに対応する印刷データを送信する。
【００２５】
コンビニエンスストア４、プリントステーション５、ホテル６等に設置されたプリンタ４１，５１，６１は、少なくともプリンタ機能を有していれば足り、プリンタ，コピー機，ファクス等の複数機能を備えたいわゆる複合機であってもよい。
【００２６】
プロバイダ８は、インターネット接続サービスを提供する団体であり、インターネットを介して、ドキュメントサーバ３からノートＰＣ（ノート型パーソナルコンピュータ）９やＰＤＡ（ｐｅｒｓｏｎａｌ  ｄｉｇｉｔａｌ  ａｓｓｉｓｔａｎｔｓ）１０等の通信端末機器への接続を可能にしている。
【００２７】
電話会社１１は、携帯電話７に対して音声通話サービスを提供すると共に、プロバイダとして、携帯電話７にデータ送受信を可能とするためのインターネット接続サービスを提供する。なお、電話会社１１自身がインターネット接続サービスを行わなくてもよく、他のプロバイダ団体のサービスを介してインターネット接続を可能にするものであってもよい。携帯電話７は、通常の音声通話機能に加えて、データ送受信機能を備えている。
【００２８】
広域印刷システム１における、ユーザ、コンテンツサーバ２及びドキュメントサーバ３間でのデータ通信の一例について説明する。図２はユーザ、コンテンツサーバ２及びドキュメントサーバ３間でのデータ通信の概略を示す図である。
【００２９】
▲１▼広告等の情報発信元であるコンテンツサーバ２が、ユーザの携帯電話７等の通信端末機器に対して、メール送信等により広告（自社販売品の宣伝等）を配信し、このときに、例えば、画像付の自社販売品のカタログ等を、広域印刷システム１のプリンタ４１，５１，６１で印刷可能な旨のメッセージも配信する。
【００３０】
▲２▼上記広告をコンテンツサーバ２から受信したユーザは、メール送信やインターネットサイトへのアクセス等により、当該印刷対象物の印刷をリクエストする指示を送信する。
【００３１】
▲３▼ユーザから上記印刷リクエストを受信したコンテンツサーバ２は、対象となる印刷データ、この印刷データを示すコンテンツＩＤ、及びこの印刷データの印刷が許可されるユーザのユーザＩＤを送信する。このコンテンツＩＤには、上記コンビニエンスストア４、プリントステーション５、ホテル６等の中で、当該印刷データの印刷を許可する店舗を示す情報（以下、店舗情報）が含められる。よって、コンテンツＩＤは、上述した印刷データ固有番号に店舗情報が付加されたものとなる。
【００３２】
この店舗情報は、各支店毎に付しても、また、店舗を運営する団体毎に付してもよい。店舗情報を各支店毎に付した場合は、例えばコンビニエンスストア等の一店単位で印刷データの印刷を許可するか否かを設定できる。店舗を運営する団体毎に店舗情報を付した場合は、運営団体単位で印刷データの印刷を許可するか否かを設定できるため、同じ団体が運営する店舗であれば、どの店舗又は支店でも同一の印刷データを印刷できるようにすることができる。
【００３３】
なお、１つの印刷データの印刷を許可する店舗又は団体等は複数であってもよく、その場合には、コンテンツＩＤには、複数の店舗情報が含められる。
【００３４】
また、ユーザが、インターネット接続されているユーザ又はユーザが所属する団体のデータベースサーバ等から、ユーザ又はユーザ所属の団体が所有するコンテンツをドキュメントサーバ３に送信して印刷する場合は、このデータベースサーバがコンテンツサーバ２として機能することになる。この場合には、上記店舗情報を付加せず、後述するドキュメントサーバ３による店舗情報の照合を行わないようにして、コンビニエンスストア４、プリントステーション５、及びホテル６等のいずれに設置されているプリンタからでも、当該印刷データの印刷できるようにすることも可能である。
【００３５】
▲４▼上記印刷データ、コンテンツＩＤ、ユーザＩＤを受信したドキュメントサーバ３は、コンテンツＩＤ及びユーザＩＤからなる文書ＩＤを作成する。ドキュメントサーバ３は、この文書ＩＤと、コンビニエンスストア４、プリントステーション５、及びホテル６等の中のどの店舗で当該印刷データの印刷が可能か（コンテンツサーバ２から受信したコンテンツＩＤに含まれる店舗情報に基づいて、当該印刷データの印刷が許可されている店舗を検出）のメッセージとをユーザ（携帯電話７等）に送信する。
【００３６】
上記文書ＩＤ及び印刷可能な店舗のメッセージを受信したユーザ（装置操作者）が、このメッセージで示された店舗に設置されている、例えば、広域印刷装置５０のデータ管理装置５２に当該文書ＩＤを入力すると、▲５▼このデータ管理装置５２は、当該文書ＩＤと、データ管理装置５２に接続されているプリンタ５１の固有のプリンタＩＤと、印刷データ送信要求等とをドキュメントサーバ３に送信する。このプリンタＩＤは、各プリンタの固有装置番号に、このプリンタが設置されている店舗の情報（店舗情報）が付加されたものであり、プリンタが店舗に設置された時に作成される。
【００３７】
ドキュメントサーバ３は、データ管理装置５２から上記文書ＩＤ、プリンタＩＤ及び印刷データ送信要求を受信すると、データ管理装置５２から受信した文書ＩＤと、ドキュメントサーバ３で保有する文書ＩＤとを照合し、更に、データ管理装置５２から受信したプリンタＩＤに含まれる店舗情報と、ドキュメントサーバ３で保有する文書ＩＤ（コンテンツＩＤ）に含まれる店舗情報とを照合する。これらの照合で文書ＩＤ及び店舗情報が一致した場合は、この文書ＩＤに基づいて印刷対象となる印刷データを特定し、▲６▼この印刷データを、上記プリンタＩＤを送信してきたデータ管理装置５２に送信する。
【００３８】
上記印刷データを受信した店舗側のデータ管理装置５２は、この印刷データをプリンタ５１に送出し、プリンタ５１によって当該印刷データが印刷される。なお、印刷料金は、プリンタ５１から送出される課金データに基づいて、データ管理装置５２で算出されて徴収される。
【００３９】
ユーザ、コンテンツサーバ２及びドキュメントサーバ３間で上記のようなデータ通信を行うことによって、図３に示すように、特定の印刷データの印刷場所（プリンタ）を制限することが可能となる。図３（ａ）は印刷対象となるコンテンツを提供者別に示す図、（ｂ）は各コンテンツ毎に印刷可能な場所を示した図である。
【００４０】
例えば、広告代理店の運営するコンテンツサーバ２から配信されるコンテンツを、ユーザが印刷する場合には、広告代理店のコンテンツサーバ２からドキュメントサーバ３に送信される印刷データに、各店舗（コンビニエンスストア４、プリントステーション５、及びホテル６等）等を示す全ての店舗情報をコンテンツＩＤに付随させることによって、コンビニエンスストア４、プリントステーション５、及びホテル６等のいずれに設置されているプリンタからでも、自由に当該印刷データの印刷が可能となる。
【００４１】
また、Ｂ団体が運営するコンテンツサーバ２から配信されるコンテンツを、ユーザが印刷する場合には、Ｂ団体のコンテンツサーバ２からドキュメントサーバ３に送信するコンテンツＩＤに含める店舗情報を、Ｂ団体が運営する店舗情報とすることによって、ユーザが当該印刷データをＢ団体の運営する店舗でしか印刷できないように制限することができる。さらに、上記コンテンツＩＤに含める店舗情報を、Ｂ団体が運営する店舗の中で特定の１つの支店を示す店舗情報にすることによって、ユーザが当該印刷データを特定の１つの支店でしか印刷できないように制限できる。
【００４２】
同様に、Ｃホテルが運営するコンテンツサーバ２から配信されるコンテンツをユーザが印刷する場合は、Ｃホテルのコンテンツサーバ２からドキュメントサーバ３に送信する印刷データに付随するコンテンツＩＤに、Ｃホテルを示す店舗情報を含めることによって、ユーザが当該印刷データをＣホテルでしか印刷できないように制限することができる。
【００４３】
また、ユーザが、インターネット接続されているユーザ又はユーザが所属する団体のデータベースサーバ等から、ユーザ又はユーザ所属の団体が所有するコンテンツをドキュメントサーバ３に送信して印刷する場合は、このデータベースサーバがコンテンツサーバ２として機能することになる。この場合には、上記店舗情報を付加せず、後述するドキュメントサーバ３による店舗情報の照合を行わないようにして、コンビニエンスストア４、プリントステーション５、及びホテル６等のいずれに設置されているプリンタからでも、当該印刷データの印刷ができるようにすることも可能である。
【００４４】
次に、ドキュメントサーバ３の内部構成の概略を説明する。図４はドキュメントサーバ３の内部構成の概略を示すブロック図である。ドキュメントサーバ３は、印刷データ記憶部３０１、文書ＩＤ管理部３０２、店舗情報記憶部３０３、データ検索部３０５、通信部３０６、印刷要求受付解析部３０７、印刷許可判別部３０８、及び制御部３１０を備えている。
【００４５】
印刷データ記憶部３０１は、コンテンツサーバ２から受信した印刷データを、これに付随する文書ＩＤと対応付けて記憶する。各ユーザに提供される印刷データは、この印刷データ記憶部３０１から読み出されて、各データ管理装置４２，５２，６２に送信される。
【００４６】
文書ＩＤ管理部３０２は、上記印刷データに対応付けられたユーザＩＤ及びコンテンツＩＤに基づいて文書ＩＤを作成して記憶するものである。店舗情報記憶部３０３は、文書ＩＤが示す印刷データの印刷が許可される店舗又は団体等の情報を記憶するものである。データ検索部３０５は、各データ管理装置４２，５２，６２から受信した文書ＩＤに対応する印刷データを印刷データ記憶部３０１から読み出すものである。
【００４７】
通信部３０６は、ネットワークインタフェイス（図略）及びインターネットを介して、各データ管理装置４２，５２，６２及びコンテンツサーバ２と各種データ通信を行うものである。印刷要求受付解析部３０７は、上記文書ＩＤ及び店舗情報に基づく印刷データ送信要求の内容を解析し、解析結果をデータ検索部３０５や制御部３１０等に送るものである。印刷許可判別部３０８は、各データ管理装置４２，５２，６２から受信した店舗情報と、店舗情報記憶部３０３に記憶されている店舗情報とが一致するか否かを判別するものである。
【００４８】
制御部３１０は、ドキュメントサーバ３全体の動作制御を司るものであり、各データ管理装置４２，５２，６２からの文書ＩＤ及び店舗情報に基づく印刷要求に応じて、データ検索部３０５に対して印刷データ記憶部３０１に記憶されている印刷データの検索を指示したり、通信部３０６に対して印刷データや課金データ等の送受信を指示したりするものである。
【００４９】
次に、コンテンツサーバ２の内部構成の概略を説明する。図５はコンテンツサーバ２の内部構成の概略を示すブロック図である。コンテンツサーバ２は、  印刷データ記憶部２０１、ＩＤ管理部２０２、プリンタＩＤ記憶部２０３、通信部２０４、印刷要求受付解析部２０５、データ読出部２０６、及び制御部２１０を備えている。
【００５０】
印刷データ記憶部２０１は、ユーザに提供する印刷データを記憶するものである。ドキュメントサーバ３に送信される印刷データは、この印刷データ記憶部２０１から読み出されて送信される。
【００５１】
ＩＤ管理部２０２は、印刷データに付随するユーザＩＤ及びコンテンツＩＤ（店舗情報含む）を、印刷データと対応付けて記憶・管理するものである。ドキュメントサーバ３に送信されるユーザＩＤ及びコンテンツＩＤは、このＩＤ管理部２０２から読み出されて送信される。
【００５２】
通信部２０４は、ネットワークインタフェイス（図略）及びインターネットを介してユーザの携帯電話７等の通信端末機器やドキュメントサーバ３等と各種データ通信を行うものである。
【００５３】
印刷要求受付解析部２０５は、ユーザの携帯電話７等の通信端末機器からの印刷リクエスト指示等の内容を解析し、解析結果を制御部２１０等に送るものである。
【００５４】
データ読出部２０６は、ユーザ所有の携帯電話７等からの受信した印刷データ配信指示に基づいて、該当する印刷データ、この印刷データに対応付けられたユーザＩＤ及びコンテンツＩＤを印刷データ記憶部２０１及びＩＤ管理部２０２から読み出すものである。
【００５５】
制御部２１０は、コンテンツサーバ２全体の動作制御を司るものであり、ユーザの携帯電話７等からの印刷データ配信指示に応じて、データ読出部２０６や通信部２０４に対してデータ読み出しやデータ送受信等を指示するものである。
【００５６】
次に、プリンタ４１，５１，６１の内部構成の概略を説明する。各プリンタの内部構成の要部は同様であるので、以下はプリンタ４１を例にして説明する。図６はプリンタ４１の内部構成の概略を示すブロック図である。プリンタ４１は、データ管理装置４２から送出される印刷データを受信して印刷すると共に、この印刷データの印刷料金についての課金データをデータ管理装置４２に送出するものである。
【００５７】
プリンタ４１は、プリンタ４１の操作に必要な各種のメッセージが表示されるＬＣＤ（ｌｉｑｕｉｄ  ｃｒｙｓｔａｌ  ｄｉｓｐｌａｙ）表示部や、印刷時に必要な操作指示等がユーザによって入力されるタッチパネル等からなる操作パネル４１１と、データ管理装置４２との間で印刷データ及び課金データ等の送受信を行うデータ送受信部４１２と、データ管理装置４２から受け取った印刷データに基づいて印刷ジョブ信号を発生させるプリント制御部４１３と、プリント制御部４１３が発生させた印刷ジョブ信号に従って印刷データの印刷を行うプリント出力部４１４と、データ管理装置４２から受信した印刷データの印刷についての課金データ（印刷データに基づいて、この印刷データの印刷に要する用紙枚数や用紙サイズ、カラー又は白黒印刷の別を判別して、その判別結果を示すデータが課金データとされる）を生成する課金制御部４１５と、データ送受信部４１２によるデータ管理装置４２とのデータ送受信制御や、データ送受信部４１２を介してデータ管理装置４２から受け取った印刷許可信号に基づいてプリント出力部４１４に印刷データを印刷させる等、装置各部の動作等を制御する制御部４１６とを備えている。
【００５８】
データ管理装置の内部構成について説明する。各データ管理装置の内部構成は同様であるので、以下はデータ管理装置４２を例にして説明する。図７はデータ管理装置４２の内部構成の概略を示すブロック図である。データ管理装置４２は、印刷データ管理部４２１と、課金データ管理部４２２とからなり、印刷データ管理部４２１が、ドキュメントサーバ３から送信されてくる印刷データを受信してプリンタ４１に送出し、課金データ管理部４２２がプリンタ４１から課金データを受け取ってユーザから印刷料金を徴収するようになっている。
【００５９】
印刷データ管理部４２１は、データ管理装置４２の操作に必要な各種のメッセージ（ドキュメントサーバ３のＵＲＬや印刷対象となるコンテンツの名称等）が表示される表示部４２１１と、ドキュメントサーバ３に送信する文書ＩＤ等がユーザによって入力される操作キー部４２１２（後述するテンキー４３２３、矢印キー４３２４及び機能キー４３２５に相当）と、ドキュメントサーバ３との間における文書ＩＤ、プリンタＩＤ、印刷データ等の送受信と、プリンタ４１との間における印刷データ等のやり取りを行うデータ送受信部４２１３と、印刷データ管理部４２１全体の動作を制御する制御部４２１４とを有する。
【００６０】
課金データ管理部４２２は、印刷料金等が表示される料金表示部４２２１と、プリンタ４１との間で課金データ等の各種データのやり取りを行うデータ送受信部４２２２と、プリンタ４１から受け取る課金データに基づいて印刷料金を算出する料金算出部４２２３と、装置操作者から印刷料金として投入される紙幣や硬貨を検知して徴収すると共に、印刷料金が徴収されたときにプリンタ４１に対して印刷許可信号を送出する料金徴収部４２２４と、課金データ管理部４２２全体の動作を制御する制御部４２２５とを備えている。
【００６１】
広域印刷装置を構成する各部による処理について説明する。各広域印刷装置の内部構成は同様であるので、以下は広域印刷装置４０を例にして説明する。図８は広域印刷装置の内部構成の概略を示すブロック図である。データ管理装置４２において、印刷データ管理部４２１のデータ送受信部４２１３がドキュメントサーバ３から印刷データを受信すると、この印刷データはプリンタ４１側に送出される。
【００６２】
プリンタ４１では、インタフェイス４１８を介してデータ送受信部４１２によって印刷データがデータ管理装置４２から受け取られる。プリント制御部４１３は、この印刷データを処理して印刷ジョブ信号を発生させる。プリント出力部４１４は当該印刷ジョブ信号に従って印刷データに基づいた印刷を実行する。プリント出力部４１４による印刷が実行されると、課金制御部４１５が当該印刷データから、印刷に要する用紙枚数や用紙サイズ、カラー又は白黒印刷の別を判別して、この判別後のデータを課金データとして、インタフェイス４１９を介してデータ管理装置４２側に送出する。
【００６３】
データ管理装置４２では、課金データ管理部４２２のデータ送受信部４２２２によって、プリンタ４１の課金制御部４１５から送られてくる課金データが受信される。この課金データに基づいて料金算出部４２２３が印刷料金を算出し、料金徴収部４２２４がユーザから印刷料金が投入されたか否かを判断して印刷料金を徴収し、印刷料金が徴収されたときにプリンタ４１に印刷許可信号を送出する。
【００６４】
プリンタ４１では、データ管理装置４２からインタフェイス４１９を介して受け取った印刷許可信号に基づいて、プリント出力部４１４に当該印刷データの印刷を実行させる。
【００６５】
データ管理装置４２，５２，６２の外形について説明する。各データ管理装置の内部構成は同様であるので、以下はデータ管理装置４２を例にして説明する。図９はデータ管理装置４２の平面図、図１０は同正面図、図１１は同側面図、図１２はデータ管理装置４２の装置本体部４３１の斜視図、及び上面部４３１２の部分拡大図である。データ管理装置４２は、料金徴収部４２２４を内蔵し、装置操作者によって印刷料金の投入及び釣銭返却指示の入力が行われる装置本体部４３１と、サーバドキュメントサーバ３とのデータ送受信が行われ、ドキュメントサーバ３から受信した印刷データの印刷に必要な指示が装置操作者によって入力される操作部４３２とからなる。装置本体部４３１の下部には、装置本体部４３１を設置面で直立させる脚部４３１１が設けられている。
【００６６】
装置本体部４３１は、図１０及び図１１に示すように、その上面部４３１２が手前側（図１１の左側）が低く形成された傾斜面とされている。これにより、データ管理装置４２前面側に装置操作者が立ったときに、装置操作者が上面部４３１２を視認しやすくなっている。この上面部４３１２には、装置操作者によって印刷料金が投入される印刷料金投入部４３１３と、印刷料金投入部４３１３から投入された印刷料金に余剰金が発生した場合に、この余剰金を釣銭として返却させるために押下される釣銭返却指示ボタン４３１４とが突設されている。さらに、上面部４３１２には、ＬＥＤ（ｌｉｇｈｔ  ｅｍｉｔｔｉｎｇ  ｄｉｏｄｅ）等からなり、料金算出部４２２４（図７，図８）によって算出された印刷料金等が表示される料金表示部４２２１とが設けられている。
【００６７】
上面部４３１２は、データ管理装置４２の前面に立ったユーザの手元の高さと想定される標準的な高さに形成されており、ユーザの操作し易いようになっている。図１１及び図１２に示すように、印刷料金投入部４３１３及び釣銭返却指示ボタン４３１４の上面は、装置本体部４３１の設置面に略平行な角度とされ（すなわち、装置本体部４３１の上面部４３１２の傾斜角度とは異なる角度）、装置操作者が上面部４３１２の上方から釣銭返却指示ボタン４３１４を押下したり、印刷料金投入部４３１３に料金を投入しやすいようになっている。なお、装置本体部４３１の前面には、コイン返却口４３１５が設けられている。
【００６８】
操作部４３２は、図９乃至図１１に示すように、装置本体部４３１の上面部４３１２の後方側の縁部に回動自在に取り付けられている。この操作部４３２は、上面部４３１２との取付部４３１６を支点として、装置本体部４３１の前面側（取付部４３１６が設けられている縁部とは反対側）の縁部が、装置本体部４３１の上面部４３１２に対する接離方向に移動するように構成されている。
【００６９】
操作部４３２は、装置本体部４３１の上面部４３１２に対向する面が、操作パネル４３２１とされている。操作パネル４３２１には、ＬＣＤ（ｌｉｑｕｉｄ  ｃｒｙｓｔａｌ  ｄｉｓｐｌａｙ）等からなり、ドキュメントサーバ３のＵＲＬ等のネットワーク通信に必要な各種の情報が表示される表示部４２１１と、文書ＩＤや印刷部数等の情報がユーザによって入力されるテンキー４３２３と、表示部４２１１に表示された項目を指定したり、表示部４２１１の画面をスクロールさせる矢印キー４３２４と、印刷実行指示等の各種指示がユーザによって入力される機能キー４３２５とが設けられている。
【００７０】
また、操作部４３２の形状は、その背面部４３２６（図１１）が略球面状とされ、この背面部４３２６には、ドキュメントサーバ３とデータ送受信を行うためのインタフェイスや、プリンタ４１とのデータ送受信を行うためのインタフェイス（シリアルポート、パラレルポート、ＵＳＢポート、ＩＥＥＥ１３９４等）が設けられている（いずれも図略）。
【００７１】
データ管理装置４２，５２，６２の印刷時の処理について説明する。なお、各データ管理装置の処理は同様である。図１３はデータ管理装置による印刷時の処理を示すフローチャートである。料金徴収部４２２４によって料金が投入されたことが検知されると（Ｓ１でＹＥＳ）、装置操作者によって入力された文書ＩＤが、このデータ管理装置と接続されているプリンタのプリンタＩＤ及び印刷データ送信要求と共にドキュメントサーバ３に送信される（Ｓ２でＹＥＳ，Ｓ３）。この文書ＩＤに対応する印刷データがドキュメントサーバ３から受信されると（Ｓ４）、この印刷データがプリンタに送出される（Ｓ５）。プリンタにおいて当該印刷データの印刷が行われ、この印刷データの印刷についての課金データがプリンタから送られてくると、データ管理装置４２ではこの課金データが受信されると（Ｓ６）、この課金データに基づいて印刷料金が算出されて（Ｓ７）、印刷料金が徴収される（Ｓ８）。そして、印刷料金が徴収された後に印刷許可信号がプリンタ４１に送出される（Ｓ９）。
【００７２】
次に、プリンタにおける印刷時の処理について説明する。なお、各プリンタの処理は同様である。図１４は当該処理を示すフローチャートである。データ管理装置のいずれかから印刷データを受信すると（Ｓ１１）、この印刷データに基づいて、その印刷に要する用紙枚数及び用紙サイズや、カラー又は白黒印刷の別を判別して課金データが作成され（Ｓ１２）、この課金データがデータ管理装置に送出される（Ｓ１３）。この後、データ管理装置４２から印刷許可信号が受け取られると（Ｓ１４でＹＥＳ）、当該印刷データが印刷される（Ｓ１５）。
【００７３】
ドキュメントサーバ３の処理及びそれに応じたプリンタ側の処理を説明する。図１５はドキュメントサーバ３及びデータ管理装置の処理を示すフローチャートである。データ管理装置４２に文書ＩＤが入力され、この文書ＩＤと、データ管理装置４２に接続されているプリンタ４１のプリンタＩＤと、印刷データ送信要求とがドキュメントサーバ３に送信されると（Ｐ１）、ドキュメントサーバ３では、この文書ＩＤ、プリンタＩＤ及び印刷データ送信要求が受信され（Ｄ１）、受信した文書ＩＤに対応する印刷データが印刷データ記憶部３０１から検索される（Ｄ２）。
【００７４】
受信した文書ＩＤに対応する印刷データが印刷データ記憶部３０１にある場合は（Ｄ３でＹＥＳ）、受信したプリンタＩＤに含まれる店舗情報が店舗情報記憶部３０３から検索される（Ｄ４）。そして、プリンタ側から受信したプリンタＩＤに含まれる店舗情報と、ドキュメントサーバ３の店舗情報記憶部３０３に記憶されている店舗情報とが照合される（Ｄ５）。この照合で両店舗情報が一致した場合は（Ｄ６でＹＥＳ）、文書ＩＤに対応する印刷データが、上記プリンタＩＤを送信してきたデータ管理装置４２に送信される（Ｄ７）。この印刷データを受信したデータ管理装置４２は、受信した印刷データをプリンタ４１に送出する（Ｐ３）。
【００７５】
また、ドキュメントサーバ３において、受信した文書ＩＤに対応する印刷データが印刷データ記憶部３０１に無い場合（Ｄ３でＮＯ）、及び、データ管理装置４２側から受信した店舗情報と、店舗情報記憶部３０３に記憶されている店舗情報とが一致しない場合は（Ｄ６でＮＯ）、印刷サービスを受けられない旨の印刷データがデータ管理装置４２側に送信される（Ｄ８）。この印刷データを受信したデータ管理装置４２では、表示部４２１１に、印刷サービスを受けられない旨のメッセージが表示される（Ｐ２）。
【００７６】
以上のように、本発明に係る広域印刷装置４０等及びデータ管理装置４２等によれば、インターネットを介したデータ送受信機能等の機能や、印刷料金を算出して徴収する機能を有しないプリンタ４１等であっても、広域印刷システムに適用することが可能になる。これにより、外部接続された記憶装置等からの印刷データを印刷できる機能を有する汎用のプリンタ４１等の画像形成装置であっても、広域印刷システム１に適用できるようになるので、広域印刷システム１に用いるプリンタ４１の構成を複雑化する必要が無くなり製造コストを低減できる。さらに、このプリンタ４１の操作パネル４１１に多くの操作ボタンを設ける必要がなくなるので、広域印刷時におけるプリンタ４１の操作性を向上させることができる。
【００７７】
また、プリンタ側から受信したプリンタＩＤに含まれる店舗情報と、ドキュメントサーバ３で保有する店舗情報とが一致しない場合には、ユーザは印刷データを印刷できないので、この印刷データの印刷を希望するユーザに、コンテンツサーバ２が設定した店舗まで出向く動機を持たせることが可能になる。
【００７８】
なお、本発明は上記実施の形態の構成に限られず種々の変形が可能である。例えば、上記実施形態では、データ管理装置４２等から受け取った印刷データに基づいて、プリンタ４１等で当該印刷データに必要な用紙枚数や用紙サイズ等を判断して課金データとしてデータ管理装置４２等に送出し、この課金データに基づいてデータ管理装置４２等で印刷料金を算出して装置操作者から徴収するようにしているが、これに代えて、ドキュメントサーバ３が印刷データに基づいて上記課金データを作成したり、或いは印刷料金そのものを示す印刷料金データを作成するようにして、ドキュメントサーバ３から印刷データと共に課金データ又は印刷料金データをデータ管理装置４２等に送信し、このドキュメントサーバ３から受信した課金データに基づいて算出した印刷料金、又はドキュメントサーバ３から受信した印刷料金データに基づく印刷料金を、データ管理装置４２等が装置操作者から徴収するようにしてもよい。
【００７９】
この場合には、プリンタ４１等が印刷データに基づいて上記課金データを作成する機能（具体的には課金制御部４１５）を有しなくてよいので、プリンタ４１等の構成を更に簡易にすることができる。
【００８０】
さらに、上記の場合、データ管理装置４２等が印刷データをプリンタ４１等に送出する前に印刷料金を料金表示部４２２１に表示し、装置操作者から印刷実行指示がデータ管理装置４２等に入力されたときにのみ、印刷データをプリンタ４１等に送出して印刷が実行されるようにしてもよい。これによれば、装置操作者が印刷データの印刷料金を確認した上で、印刷を実行するか否かを決定することができるので、広域印刷装置４０等又はデータ管理装置４２等によって、ユーザフレンドリーなサービスを提供することが可能になる。
【００８１】
また、上記実施形態では、データ管理装置４２等は、印刷データ管理部４２１及び課金データ管理部４２２からなるものとされているが、これら２つの管理部に分けられることなく、１つの制御部及びデータ送受信部によって、ドキュメントサーバ３との間における印刷データ、文書ＩＤ及びプリンタＩＤの送受信と、プリンタ４１等との間における印刷データ及び課金データのやり取りとが行われる構成としてもよい。
【００８２】
また、上記実施形態では、コンテンツサーバ２が印刷データを提供し、ドキュメントサーバ３を介して、印刷データがコンビニエンスストア４等に設置されたプリンタ４１等まで送信されるようになっているが、コンテンツサーバ２からインターネットを介して直接にプリンタ４１等に印刷データが送信されたり、ドキュメントサーバ３が印刷データ提供者となって、ドキュメントサーバ３からプリンタ４１等に印刷データが送信されるように構成してもよい。この場合には、コンテンツサーバ２又はドキュメントサーバ３のいずれか１つのサーバが、印刷データの提供、及びプリンタとの間のデータ送受信管理、印刷データの課金情報の管理等、上述した各処理を全て行うことになる。
【００８３】
また、上記実施形態では、コンテンツサーバ２、ドキュメントサーバ３、プリンタ４１等、及びデータ管理装置４２等の構成及び処理を図１乃至図１５に示しているが、これらの処理はあくまでも一例であり、本発明に係る広域印刷システム１の構成及び処理は上記に限定されるものではない。
【００８４】
【発明の効果】
以上のように請求項１に記載の発明によれば、印刷データ受信手段がサーバから印刷データを受信して画像形成装置に送出し、印刷料金データ受信手段が画像形成装置から受け取った課金データに基づいて、印刷料金算出手段が印刷料金を算出し、この印刷料金の装置操作者からの徴収を受けて、印刷料金徴収手段が画像形成装置に印刷を許可するので、ネットワーク上のサーバと画像形成装置との間に介在して、ネットワーク上のサーバから印刷データを受信して画像形成装置に印刷させることができる。
【００８５】
そのため、インターネットを介したデータ送受信機能等の機能や、印刷料金を算出して徴収する機能を有しない画像形成装置であっても、広域印刷システムに適用することが可能になる。これにより、外部接続された記憶装置等からの印刷データを印刷できる機能を有する程度の汎用の画像形成装置であっても、広域印刷システムに適用できるようになるので、広域印刷システムに用いる画像形成装置の構成を複雑化する必要が無くなり製造コストを低減できる。さらに、この画像形成装置の操作パネル部に多くの操作ボタンを設ける必要がないので、広域印刷時における画像形成装置の操作性を向上させることができる。
【００８６】
また、請求項２に記載の発明によれば、文書ＩＤ受付手段が装置操作者から文書ＩＤの入力を受け付け、ＩＤ送信手段が文書ＩＤをサーバに送信し、この文書ＩＤに適合する印刷データを印刷データ受信手段が受信する。これにより、広域印刷システムに用いる画像形成装置の構成を複雑化することなく、サーバから送信させる印刷データを特定するための文書ＩＤを、サーバに対して送信することができる。
【００８７】
また、請求項３に記載の発明によれば、サーバに送信した文書ＩＤ及び店舗情報に適合する印刷データを、印刷データ受信手段がサーバから受信するので、上記文書ＩＤが示す印刷データを特定の店舗でのみ印刷可能にすることができる。これにより、広域印刷システムに用いる画像形成装置の構成を複雑化することなく、文書ＩＤが示す印刷データの印刷を希望するユーザに、特定の店舗まで出向く動機を持たせることが可能になる。
【００８８】
また、請求項４に記載の発明によれば、操作部が装置本体部の上面に回動可能に設けられているので、操作部を装置操作者が視認しやすい角度に回動させることができ、操作部の操作性及び視認性が更に向上する。
【００８９】
また、請求項５に記載の発明によれば、装置本体部の上面が、当該データ管理装置の前に立つ装置操作者が視認し易い角度（装置操作者の眼の方向に向けた角度等）となり、印刷料金投入部及び釣銭返却指示ボタンの上面が、装置操作者がボタン押下や料金投入部をし易い角度となるので、装置操作者の操作性及び視認性が向上する。
【００９０】
また、請求項６に記載の発明によれば、印刷データの受信及び印刷料金の徴収を行うデータ管理装置が画像形成装置とは別体とされているので、データ送受信機能や印刷料金徴収機能等を有しない汎用の画像形成装置を広域印刷システムに適用することができる。これにより、外部接続された記憶装置等からの印刷データを印刷できる機能を有する汎用の画像形成装置であれば、広域印刷システムに適用することができるようになるので、広域印刷システムに用いる画像形成装置の構成を複雑化する必要が無くなり製造コストを低減できる。さらに、この画像形成装置の操作パネル部に多くの操作ボタンを設ける必要がないので、広域印刷時における画像形成装置の操作性を向上させることができる。
【図面の簡単な説明】
【図１】本発明に係る広域印刷システムの全体構成図である。
【図２】ユーザ、コンテンツサーバ及びドキュメントサーバ間でのデータ通信の概略を示す図である。
【図３】（ａ）は印刷対象となるコンテンツを提供者別に示す図、（ｂ）は各コンテンツ毎に印刷可能な場所を示した図である。
【図４】ドキュメントサーバの内部構成の概略を示すブロック図である。
【図５】コンテンツサーバの内部構成の概略を示すブロック図である。
【図６】プリンタの内部構成の概略を示すブロック図である。
【図７】データ管理装置の内部構成の概略を示すブロック図である。
【図８】広域印刷装置の内部構成の概略を示すブロック図である。
【図９】データ管理装置の平面図である。
【図１０】データ管理装置の正面図である。
【図１１】データ管理装置の側面図である。
【図１２】データ管理装置の装置本体部の斜視図、装置本体部の上面部を拡大した斜視図である。
【図１３】データ管理装置による印刷時の処理を示すフローチャートである。
【図１４】プリンタにおける印刷時の処理を示すフローチャートである。
【図１５】ドキュメントサーバ及びデータ管理装置の処理を示すフローチャートである。
【符号の説明】
１      広域印刷システム
２      コンテンツサーバ
３      ドキュメントサーバ
４      コンビニエンスストア
５      プリントステーション
６      ホテル
７      携帯電話（ユーザ所有の通信端末機器）
９      ノートパソコン（ユーザ所有の通信端末機器）
１０    ＰＤＡ（ユーザ所有の通信端末機器）
４１，５１，６１  プリンタ（画像形成装置）
４０，５０，６０      広域印刷装置
４１１            操作パネル
４１２            データ送受信部（課金データ送出手段）
４１３            プリント制御部（印刷制御手段）
４１４            プリント出力部（印刷手段）
４１５            課金制御部（課金データ作成手段）
４１６            制御部
４２，５２，６２      データ管理装置
４２１            印刷データ管理部
４２１１        表示部
４２１２        操作キー部（文書ＩＤ受付手段）
４２１３        データ送受信部（印刷データ受信手段，印刷データ送出手段，ＩＤ送信手段）
４２１４        制御部
４２２            課金データ管理部
４２２１        料金表示部
４２２２        データ送受信部（課金データ受信手段）
４２２３        料金算出部（印刷料金算出手段）
４２２４        料金徴収部（印刷料金徴収手段）
４２２５        制御部
４３１            装置本体部
４３１１        脚部
４３１２        上面部
４３１３        印刷料金投入部
４３１４        釣銭返却指示ボタン
４３１５        コイン返却口
４３１６        取付部
４３２            操作部
４３２１        操作パネル
４３２３        テンキー
４３２４        矢印キー
４３２５        機能キー
４３２６        背面部
【図１】
2004252679.tif 000003
【図２】
2004252679.tif 000004
【図３】
2004252679.tif 000005
【図４】
2004252679.tif 000006
【図５】
2004252679.tif 000007
【図６】
2004252679.tif 000008
【図７】
2004252679.tif 000009
【図８】
2004252679.tif 000010
【図９】
2004252679.tif 000011
【図１０】
2004252679.tif 000012
【図１１】
2004252679.tif 000013
【図１２】
2004252679.tif 000014
【図１３】
2004252679.tif 000015
【図１４】
2004252679.tif 000016
【図１５】
2004252679.tif 000017